Podtech/llm-jp-corpus-v4-ja_patent huggingface dataset:
【手続補正書】
【提出日】平成16年3月11日(2004.3.11)
【手続補正１】
【補正対象書類名】明細書
【補正対象項目名】特許請求の範囲
【補正方法】変更
【補正の内容】
【特許請求の範囲】
【請求項１】
ハードウェア記述言語で記述されたデザイン中のレジスタ、外部出力ピンおよびサブモジュールの入力ピンを含む各種ファシリティのファシリティ名と、このファシリティを終点として静的タイミング解析すべきパスの始点となるレジスタ、外部入力ピンおよびサブモジュールの出力ピンを含む各種ファシリティのファシリティ名と、このパスに対するタイミング仕様データの入力項目とを画面上に表示する前段ファシリティ表示手段と、
前記前段ファシリティ表示手段が表示する画面上で指定される前記入力項目に対するタイミング仕様データを入力するタイミング仕様入力手段とを具備することを特徴とする論理回路のタイミング仕様入力システム。
【請求項２】
ハードウェア記述言語で記述されたデザイン中のレジスタ、外部入力ピンおよびサブモジュールの出力ピンを含む各種ファシリティのファシリティ名と、このファシリティを始点として静的タイミング解析すべきパスの終点となるレジスタ、外部出力ピンおよびサブモジュールの入力ピンを含む各種ファシリティのファシリティ名と、このパスに対するタイミング仕様データの入力項目とを画面上に表示する後段ファシリティ表示手段と、
前記後段ファシリティ表示手段が表示する画面上で指定される前記入力項目に対するタイミング仕様データを入力するタイミング仕様入力手段とを具備することを特徴とする論理回路のタイミング仕様入力システム。
【請求項３】
ハードウェア記述言語で記述されたデザイン中の外部ピン名およびタイミング仕様データの入力項目を画面上に表示する外部ピン表示手段と、
前記外部ピン表示手段が表示する画面上で指定される前記入力項目に対するタイミング仕様データを入力するタイミング仕様入力手段と、
前記タイミング仕様入力手段によって入力されたデータから前記タイミング仕様を記述したステートメントを前記デザインを記述したハードウェア記述言語の形式により生成するタイミング仕様記述生成手段とを具備することを特徴とする論理回路のタイミング仕様入力システム。
【請求項４】
ハードウェア記述言語で記述されたデザイン中のレジスタ、外部出力ピンおよびサブモジュールの入力ピンを含む各種ファシリティのファシリティ名と、このファシリティを終点として静的タイミング解析すべきパスの始点となるレジスタ、外部入力ピンおよびサブモジュールの出力ピンを含む各種ファシリティのファシリティ名と、このパスに対するタイミング仕様データの入力項目を画面上に表示するステップと、
前記表示した画面上で指定される前記入力項目に対するタイミング仕様データを入力するステップとを具備することを特徴とする論理回路のタイミング仕様入力方法。
【請求項５】
ハードウェア記述言語で記述されたデザイン中のレジスタ、外部入力ピンおよびサブモジュールの出力ピンを含む各種ファシリティのファシリティ名と、このファシリティを始点として静的タイミング解析すべきパスの終点となるレジスタ、外部出力ピンおよびサブモジュールの入力ピンを含む各種ファシリティのファシリティ名と、このパスに対するタイミング仕様データの入力項目とを画面上に表示するステップと、
前記表示した画面上で指定される前記入力項目に対するタイミング仕様データを入力するステップとを具備することを特徴とする論理回路のタイミング仕様入力方法。
【請求項６】
ハードウェア記述言語で記述されたデザイン中の外部ピン名およびタイミング仕様データの入力項目を画面上に表示するステップと、
前記表示した画面上で指定される前記入力項目に対するタイミング仕様データを入力するステップと、
前記入力されたデータから前記タイミング仕様を記述したステートメントを前記デザインを記述したハードウェア記述言語の形式により生成するステップとを具備することを特徴とする論理回路のタイミング仕様入力方法。
【請求項７】
ハードウェア記述言語で記述されたデザイン中のレジスタ、外部出力ピンおよびサブモジュールの入力ピンを含む各種ファシリティのファシリティ名と、このファシリティを終点として静的タイミング解析すべきパスの始点となるレジスタ、外部入力ピンおよびサブモジュールの出力ピンを含む各種ファシリティのファシリティ名と、このパスに対するタイミング仕様データの入力項目を画面上に表示し、
前記表示した画面上で指定される前記入力項目に対するタイミング仕様データを入力するように論理回路のタイミング仕様入力システムを動作制御するプログラムを記録したコンピュータ読み取り可能な記録媒体。
【請求項８】
ハードウェア記述言語で記述されたデザイン中のレジスタ、外部入力ピンおよびサブモジュールの出力ピンを含む各種ファシリティのファシリティ名と、このファシリティを始点として静的タイミング解析すべきパスの終点となるレジスタ、外部出力ピンおよびサブモジュールの入力ピンを含む各種ファシリティのファシリティ名と、このパスに対するタイミング仕様データの入力項目とを画面上に表示し、
前記表示した画面上で指定される前記入力項目に対するタイミング仕様データを入力するように論理回路のタイミング仕様入力システムを動作制御するプログラムを記録したコンピュータ読み取り可能な記録媒体。
【請求項９】
ハードウェア記述言語で記述されたデザイン中の外部ピン名およびタイミング仕様データの入力項目を画面上に表示し、
前記表示した画面上で指定される前記入力項目に対するタイミング仕様データを入力し、
前記入力されたデータから前記タイミング仕様を記述したステートメントを前記デザインを記述したハードウェア記述言語の形式により生成するように論理回路のタイミング仕様入力システムを動作制御するプログラムを記録したコンピュータ読み取り可能な記録媒体。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正書】
【提出日】平成16年5月31日(2004.5.31)
【手続補正１】
【補正対象書類名】明細書
【補正対象項目名】特許請求の範囲
【補正方法】変更
【補正の内容】
【特許請求の範囲】
【請求項１】
少なくとも１つの画像入力部から画像データを入力する入力手段と、画像データを一時的に記憶する一時記憶手段と、前記一時記憶手段に一時的に記憶された画像データを記憶する前記一時記憶手段よりも大容量の二次記憶手段と、少なくとも一つの画像出力部に画像データを出力する出力手段と、前記二次記憶手段の異常を検知する検知手段と、実行すべき一単位の画像処理を表わす画像処理パラメータに従って画像データの入力及び出力を制御する制御手段とを有し、前記制御手段は画像処理パラメータにより表わされた画像処理を、前記入力手段により画像データを入力する画像入力ジョブと前記出力手段により画像データを出力する画像出力ジョブとに分け、前記検知手段による前記二次記憶手段の異常検知結果に従って画像入力ジョブと画像出力ジョブの実行を独立に制御することを特徴とする画像入出力装置。
【請求項２】
前記制御手段は、前記検知手段により前記二次記憶手段の異常が検知された場合は、画像処理パラメータを前記二次記憶手段を用いずに実行可能な画像処理を表わす画像処理パラメータに変更し、変更した画像処理パラメータに従って画像入力ジョブと画像出力ジョブの実行を独立に制御することを特徴とする請求項１に記載の画像入出力装置。
【請求項３】
所望の画像処理パラメータを設定する設定手段を有し、前記検知手段により前記二次記憶手段の異常が検知された場合は、前記設定手段による前記二次記憶手段を用いる画像処理を表わす画像処理パラメータの設定を禁止することを特徴とする請求項１に記載の画像入出力装置。
【請求項４】
前記制御手段は、前記検知手段により前記二次記憶手段の異常が検知されていない場合は、前記入力手段により入力された画像データを前記一時記憶手段を介して前記二次記憶手段に記憶し、前記二次記憶手段に記憶された画像データを前記一時記憶手段を介して前記出力手段により出力し、一方、前記検知手段により前記二次記憶手段の異常が検知された場合は、前記入力手段により入力された画像データを前記一時記憶手段に記憶し、前記二次記憶手段を介すること無しに、前記一時記憶手段に記憶された画像データを前記出力手段により出力する様、画像入力ジョブと画像出力ジョブの実行を独立に制御することを特徴とする請求項１に記載の画像入出力装置。
【請求項５】
前記画像入力部は、原稿を画像として読取ることで画像を入力することを特徴とする請求項１乃至４のいずれかに記載の画像入出力装置。
【請求項６】
前記画像出力部は、記録紙に画像を形成することで画像を出力することを特徴とする請求項１乃至５のいずれかに記載の画像入力装置。
【請求項７】
前記二次記憶手段は、ハードディスクであることを特徴とする請求項１乃至６のいずれかに記載の画像入出力装置。
【請求項８】
画像データを一時的に記憶する一時記憶手段と、前記一時記憶手段に一時的に記憶された画像データを記憶する前記一時記憶手段よりも大容量の二次記憶手段とを備え、少なくとも１つの画像入力部から画像データを入力し、入力した画像データを少なくとも一つの画像出力部に出力する画像入出力装置の画像入出力方法であって、実行すべき一単位の画像処理を画像入力部から画像データを入力する画像入力ジョブと画像出力部へ画像データを出力する画像出力ジョブとに分けるステップと、二次記憶手段の異常を検知するステップと、二次記憶手段の異常検知結果に従って画像入力ジョブと画像出力ジョブの実行を独立に制御するステップとを有することを特徴とする画像入出力方法。
【請求項９】
二次記憶手段の異常が検知された場合は、画像入力ジョブと画像出力ジョブを前記二次記憶手段を用いずに実行可能な画像入力ジョブと画像出力ジョブに変更するステップを有することを特徴とする請求項８に記載の画像入出力方法。
【請求項１０】
所望の画像処理を設定するステップと、二次記憶手段の異常が検知された場合は、二次記憶手段を用いる画像処理を表わす画像処理の設定を禁止するステップを有することを特徴とする請求項８に記載の画像入出力方法。
【請求項１１】
少なくとも１つの画像入力手段から入力した画像データを、少なくとも一つの画像出力手段へ出力する画像処理システムであって、画像データを一時的に記憶する一時記憶手段と、前記一時記憶手段に一時的に記憶された画像データを記憶する前記一時記憶手段よりも大容量の二次記憶手段と、前記二次記憶手段の異常を検知する検知手段と、実行すべき一単位の画像処理を表わす画像処理パラメータに従って画像データの入力及び出力を制御する制御手段とを有し、前記制御手段は画像処理パラメータにより表わされた画像処理を、前記画像入力手段から画像データを入力する画像入力ジョブと前記画像出力手段へ画像データを出力する画像出力ジョブとに分け、前記検知手段による前記二次記憶手段の異常検知結果に従って画像入力ジョブと画像出力ジョブの実行を独立に制御することを特徴とする画像処理システム。
【請求項１２】
前記制御手段は、前記検知手段により前記二次記憶手段の異常が検知された場合は、画像処理パラメータを前記二次記憶手段を用いずに実行可能な画像処理を表わす画像処理パラメータに変更し、変更した画像処理パラメータに従って画像入力ジョブと画像出力ジョブの実行を独立に制御することを特徴とする請求項１１に記載の画像処理システム。
【請求項１３】
所望の画像処理パラメータを設定する設定手段を有し、前記検知手段により前記二次記憶手段の異常が検知された場合は、前記設定手段による前記二次記憶手段を用いる画像処理を表わす画像処理パラメータの設定を禁止することを特徴とする請求項１１に記載の画像処理システム。
【請求項１４】
前記制御手段は、前記検知手段により前記二次記憶手段の異常が検知されていない場合は、前記画像入力手段から入力された画像データを前記一時記憶手段を介して前記二次記憶手段に記憶し、前記二次記憶手段に記憶された画像データを前記一時記憶手段を介して前記画像出力手段へ出力し、一方、前記検知手段により前記二次記憶手段の異常が検知された場合は、前記画像入力手段から入力された画像データを前記一時記憶手段に記憶し、前記二次記憶手段を介すること無しに、前記一時記憶手段に記憶された画像データを前記画像出力手段へ出力する様、画像入力ジョブと画像出力ジョブの実行を独立に制御することを特徴とする請求項１１に記載の画像処理システム。
【請求項１５】
前記画像入力部は、原稿を画像として読取ることで画像を入力することを特徴とする請求項１１乃至１４のいずれかに記載の画像処理システム。
【請求項１６】
前記画像出力部は、記録紙に画像を形成することで画像を出力することを特徴とする請求項１１乃至１５のいずれかに記載の画像処理システム。
【請求項１７】
前記二次記憶手段は、ハードディスクであることを特徴とする請求項１１乃至１６のいずれかに記載の画像処理システム。
【手続補正書】
【提出日】平成17年10月28日(2005.10.28)
【手続補正１】
【補正対象書類名】明細書
【補正対象項目名】特許請求の範囲
【補正方法】変更
【補正の内容】
【特許請求の範囲】
【請求項１】
複数の主記録情報に関する目次情報を記録する目次領域を備えて再生専用の第１の光ディスクから光学的に再生された上記主記録情報を、複数の主記録情報に関する目次情報を記録する目次領域を備えて記録再生両用の第２の光ディスクに光磁気的に記録する光ディスクの記録方法において、
上記第２の光ディスクの上記目次領域における上記目次情報の有無を検知して、当該目次情報が検知されないときは、上記第１のディスク媒体の上記目次領域から再生された目次情報を上記第２のディスク媒体の上記目次領域に記録するようにした
ことを特徴とする光ディスクの記録方法。
【請求項２】
請求項１に記載の光ディスクの記録方法において、
上記第１の光ディスクから再生された上記複数の主記録情報のすべてを同順序で上記第２の光ディスクに記録する際は、当該第２の光ディスクの上記目次領域の第１の所定範囲に、上記第１の光ディスクの少なくとも上記主記録情報の全数と総再生時間とを記録すると共に、
上記第１の光ディスクから順不同で再生された上記複数の主記録情報を上記第２の光ディスクに記録する際には、当該第２の光ディスクの上記目次領域の第２の所定範囲に上記第１の光ディスクの上記主記録情報の番号と再生時間とを記録するようにした
ことを特徴とする光ディスクの記録方法。
【請求項３】
複数の主記録情報に関する目次情報を記録する目次領域を備えて再生専用の第１の光ディスクから光学的に再生された上記主記録情報を、複数の主記録情報に関する目次情報を記録する目次領域を備えて記録再生両用の第２の光ディスクに光磁気的に記録する記録手段を有する光ディスクの記録装置において、
上記第２の光ディスクの上記目次領域における上記目次情報の有無を検知する目次情報検知手段を設けると共に、
この目次情報検知手段に応動して、上記第２のディスク媒体の上記目次領域への上記第１のディスク媒体の上記目次領域から再生された目次情報の記録を制御する目次情報記録制御手段を設けた
ことを特徴とする光ディスクの記録装置。
【請求項４】
請求項１に記載の光ディスクの記録装置において、
上記複数の主記録情報と、その記録順序との選択を制御する主記録情報選択制御手段を有し、
この主記録情報選択制御手段に上記目次情報記録制御手段が応動して、
上記第１の光ディスクから再生された上記複数の主記録情報のすべてを同順序で上記第２の光ディスクに記録する際は、当該第２の光ディスクの上記目次領域の第１の所定範囲に上記第１の光ディスクの少なくとも上記主記録情報の全数と総再生時間とを記録するように制御すると共に、
上記第１の光ディスクから再生された上記複数の主記録情報を順不同で上記第２の光ディスクに記録する際には、当該第２の光ディスクの上記目次領域の第２の所定範囲に上記第１の光ディスクの上記主記録情報の番号と再生時間とを記録するように制御する
ことを特徴とする光ディスクの記録装置。
【請求項５】
複数の主記録情報に関する目次情報を記録する目次領域を備えた第１のディスクから再生された上記主記録情報を、第２のディスクに記録するディスクの記録方法において、
上記第１のディスクから再生された上記複数の主記録情報を同順序で上記第２のディスクに記録する際は、上記第１のディスクの上記主記録情報のそれぞれの番号と再生時間とを記録すると共に、
上記第１のディスクから順不同で再生された上記複数の主記録情報を上記第２のディスクに記録する際には、上記第２のディスクに、記録順に関係なく、上記第１のディスクの上記主記録情報のそれぞれの番号と再生時間とを記録するようにした
ことを特徴とするディスクの記録方法。
【手続補正書】
【提出日】平成17年7月14日(2005.7.14)
【手続補正１】
【補正対象書類名】明細書
【補正対象項目名】発明の名称
【補正方法】変更
【補正の内容】
【発明の名称】光学ピックアップ装置及び光学ディスク装置
【手続補正２】
【補正対象書類名】明細書
【補正対象項目名】特許請求の範囲
【補正方法】変更
【補正の内容】
【特許請求の範囲】
【請求項１】
ベース部材に組み込まれる光学系部品を保持する固定部材に、前記ベース部材に対する組み付け係合方向に弾性変形可能な係合片を形成し、前記係合片を介して前記固定部材を前記ベース部材に組み付け固定し、前記光学系部品を保持するようにしたことを特徴とする光学ピックアップ装置。
【請求項２】
請求項１に記載の光学ピックアップ装置において、前記固定部材の前記係合片の元部に弾性変形部面を形成し、前記係合片を弾性変形可能に構成したことを特徴とする光学ピックアップ装置。
【請求項３】
請求項２に記載の光学ピックアップ装置において、前記係合片の元部面に前記係合片の両側縁の延長方向にスリットを設けて前記弾性変形部面を形成したことを特徴とする光学ピックアップ装置。
【請求項４】
請求項１に記載の光学ピックアップ装置において、前記ベース部材側に前記係合片の弾性変形部に対応して凹段面を形成したことを特徴とする光学ピックアップ装置。
【請求項５】
光学ピックアップ装置と、この光学ピックアップ装置を移動支持する移動支持機構と、光ディスクを回転駆動するスピンドルモータとターンテーブルを備えたディスク回転駆動機構と、を有して構成される光学ディスク装置において、前記光学ピックアップ装置は、ベース部材に組み込まれる光学系部品を保持する固定部材に、前記ベース部材に対する組み付け係合方向に弾性変形可能な係合片を形成し、前記係合片を介して前記固定部材を前記ベース部材に組み付け固定し、前記光学系部品を保持するようにして構成されることを特徴とする光学ディスク装置。
【請求項６】
請求項５に記載の光学ディスク装置において、前記光学ピックアップ装置は、前記固定部材の前記係合片の元部に弾性変形部面を形成し、前記係合片を弾性変形可能に構成したことを特徴とする光学ディスク装置。
【請求項７】
請求項５に記載の光学ディスク装置において、前記光学ピックアップ装置は、前記係合片の元部面に前記係合片の両側縁の延長方向にスリットを設けて前記弾性変形部面を形成したことを特徴とする光学ディスク装置。
【請求項８】
請求項５に記載の光学ディスク装置において、前記光学ピックアップ装置は、前記ベース部材側に前記係合片の弾性変形部に対応して凹段面を形成したことを特徴とする光学ディスク装置。
【手続補正３】
【補正対象書類名】明細書
【補正対象項目名】０００１
【補正方法】変更
【補正の内容】
【０００１】
【発明の属する技術分野】
本発明は、光学ピックアップ装置及びこの光学ピックアップ装置を備えた光学ディスク装置に関する。
【手続補正書】
【提出日】平成17年9月28日(2005.9.28)
【手続補正１】
【補正対象書類名】明細書
【補正対象項目名】００１８
【補正方法】変更
【補正の内容】
【００１８】
【発明が解決しようとする課題】
上記したように、従来の信号線ドライバでは、各列（たとえばｊ列）において１ライン毎に入力画像データＤの値に応じて正極性階調電圧Ｖ0〜Ｖｋ-1の中のいずれか１つ（Ｖｊ）または負極性階調電圧Ｖ’O〜Ｖ’ｋ-1の中のいずれか１つ（Ｖ’ｊ）が選択され、画素駆動期間ＴHの全時間を通じてこの選択された階調電圧Ｖｊ（Ｖ’ｊ）により各信号線Ｘｊが駆動される。その際、画素駆動期間ＴHの開始直後においては、信号線Ｘｊ上で充電電流または放電電流が流れることによって、電圧の極性が反転する。
【手続補正２】
【補正対象書類名】明細書
【補正対象項目名】００２０
【補正方法】変更
【補正の内容】
【００２０】
このため、たとえば薄膜トランジスタＴＦＴのソース線あるいはドレイン線上に塵埃等が付着して階調電圧書き込みの電流経路が高抵抗になっていると、チャージまたはディスチャージ速度の遅れが顕著になり、図２１の破線Ｌ’で示すように当該画素において最終書き込み電圧が所望のレベルに達しなかったり、そこまで至らなくても破線Ｌで示すように実効電圧が不足し、所望の階調表示ができなくなることがあった。
【手続補正書】
【提出日】平成16年6月23日(2004.6.23)
【手続補正１】
【補正対象書類名】明細書
【補正対象項目名】特許請求の範囲
【補正方法】変更
【補正の内容】
【特許請求の範囲】
【請求項１】
教育的指導を提供し、該指導を少なくとも一ヶ所の遠隔サイトに提供することができる双方向遠隔通信方法であって、
ａ．指導的材料を放送し、前記放送を複数の生徒に提供するステップと、
ｂ．入力データを受信する双方向性エンジンを提供し、前記入力データに関連する回答データを生成するステップと、
ｃ．前記双方向性エンジンと前記複数の生徒との間にコンピュータネットワーク接続を提供するステップと、
ｄ．前記双方向性エンジンを用いて前記入力データをランク順に表示するステップと、
ｅ．前記入力データに対する回答を前記放送に組み込むために、前記表示を講師に提供するステップと、
を含むことを特徴とする双方向遠隔通信方法。
【請求項２】
前記ランク順の前記入力データは、該入力データの頻度順のランキングを含むことを特徴とする請求項１に記載の双方向遠隔通信方法。
【請求項３】
前記入力データを提供するとともに、前記回答データに前記講師がアクセスできるようにすることにより、前記回答を組み込むときに前記講師が前記回答データを利用できるようにしたことを特徴とする請求項１に記載の双方向遠隔通信方法。
【請求項４】
前記双方向性エンジンが、サーチ可能なデータベースを有するコンピュータを備えたことを特徴とする請求項１に記載の双方向遠隔通信方法。
【請求項５】
前記コンピュータネットワーク接続の一部としてインターネット接続を提供することを特徴とする請求項１に記載の双方向遠隔通信方法。
【請求項６】
入力データとして受信したデータを解釈して前記回答データを生成するために自然言語照会方式を使用することを特徴とする請求項１に記載の双方向遠隔通信方法。
【請求項７】
検出された生徒数に応じて前記入力データをランク付けすることを特徴とする請求項１に記載の双方向遠隔通信方法。
【請求項８】
対話型放送を複数箇所の遠隔サイトの視聴者のメンバーに提供する双方向遠隔通信方法であって、
ａ．放送プログラムを伝送し、前記放送を前記複数箇所の遠隔サイトに提供するステップと、
ｂ．前記複数箇所の遠隔サイトと双方向性エンジンとの間にコンピュータネットワーク接続を提供するステップであって、前記双方向性エンジンが、データベースを有しており、質問データに対応する回答データを前記データベースを検索することによって前記質問データに回答する、ステップと、
ｃ．前記コンピュータネットワーク接続によって前記視聴者のメンバーと前記双方向性エンジンとの間に双方向コンピュータネットワーク通信を提供して、前記視聴者のメンバーが前記双方向性エンジンへのフィードバックを前記質問データの入力として提供し、前記質問データに対応する前記回答データを受信できるようにするステップと、
ｄ．前記双方向性エンジンを用いて前記質問データをランク付けし、放送者に前記入力データをランク順で表示するステップと、
ｅ．前記ランク順での入力データの表示を用いて、前記放送プログラムの伝送中に前記入力データに対する回答を提供するステップと、
を含むことを特徴とする双方向遠隔通信方法。
【請求項９】
前記双方向性エンジンを用いて、前記ランク順の入力データの表示に関連して前記質問に対する回答を提供することにより、前記放送者が回答にアクセスできるようにしたことを特徴とする請求項８に記載の双方向遠隔通信方法。
【請求項１０】
前記双方向性エンジンを用いて、前記質問に対する回答を一覧形式で前記視聴者のメンバーに提供することにより、前記視聴者の各メンバーが前記視聴者の他のメンバーからの質問に対する回答を閲覧できるようにしたことを特徴とする請求項８に記載の双方向遠隔通信方法。
【手続補正書】
【提出日】平成16年9月13日(2004.9.13)
【手続補正１】
【補正対象書類名】明細書
【補正対象項目名】発明の名称
【補正方法】変更
【補正の内容】
【発明の名称】コイン振り分け装置
【手続補正２】
【補正対象書類名】明細書
【補正対象項目名】特許請求の範囲
【補正方法】変更
【補正の内容】
【特許請求の範囲】
【請求項１】
円板形のカバー手段と、このカバー手段の外周囲に沿って回転可能に配設されたコイン搬送用のベルト手段と、ほぼリング形の傾斜板であって外周囲が高く内周囲が前記ベルト手段の外周囲に近接し且つコイン振り分け用の開孔を複数個有しているコインの通路手段と、を備えていることを特徴としたコインを金種ごとに振り分けるコイン振り分け装置。
【請求項２】
請求項１の記載において、前記コイン振り分け用の開孔を開閉するための手段が当該開口の下面に配設されていることを特徴としたコインを金種ごとに振り分けるコイン振り分け装置。
【請求項３】
請求項２の記載において、前記開孔を開閉するための手段がコインを検出する手段によって駆動されることを特徴としたコインを金種ごとに振り分けるコイン振り分け装置。
【手続補正３】
【補正対象書類名】明細書
【補正対象項目名】０００４
【補正方法】変更
【補正の内容】
【０００４】
言い換えると本発明は金銭レジスタなどの装置の下に容易に収納できる形状を確保する目的から開発されたものである。また本発明は欧米諸国の多金種にも適用できるようにしたコイン振り分け装置を目的に開発されたものである。
【課題を解決するための手段】本発明は、円板形のカバー手段と、このカバー手段の外周囲に沿って回転可能に配設されたコイン搬送用のベルト手段と、ほぼリング形の傾斜板であって外周囲が高く内周囲が前記ベルト手段の外周囲に近接し且つコイン振り分け用の開孔を複数個有しているコインの通路手段と、を備えていることを特徴としたコインを金種ごとに振り分けるコイン振り分け装置である。
【手続補正４】
【補正対象書類名】明細書
【補正対象項目名】０００５
【補正方法】変更
【補正の内容】
【０００５】
また本発明は、前記コイン振り分け用の開孔を開閉するための手段が当該開口の下面に配設されていることを特徴としたコインを金種ごとに振り分けるコイン振り分け装置である。また本発明は、前記開孔を開閉するための手段がコインを検出する手段によって駆動されることを特徴としたコインを金種ごとに振り分けるコイン振り分け装置である。
【発明の実施の形態】以下に本発明を其の実施について添付の図面を参照しつつ説明する。図１は本発明による一実施例を概略的に示す斜面図である。図２は図１の使用状態を概略的に示す平面図である。図３は図１の駆動手段を示すための概略的な平面図である。図４は図１の要部を示す正面からの拡大断面図である。
【手続補正５】
【補正対象書類名】明細書
【補正対象項目名】０００６
【補正方法】変更
【補正の内容】
【０００６】
図５は図１の他の要部を示す正面からの拡大断面図である。図６は図５の動作状態を示す断面図である。図１に示される複数コインを金種ごとに振り分ける振り分け装置は大きな概略矩形のベース板３１を備える。そして当該ベース板３１の中央全体にはやや大きな高さの低い円形のカバー板３２がネジ止めで固定されている。円形のカバー板３２の外周には概略円リング形の通路板３３がネジ止めでベース板３１に固定されている。なお通路板３３は図５に示されるようにカバー板３２の外周壁の底に向けて傾斜するように形成されている。
【手続補正書】
【提出日】平成16年8月31日(2004.8.31)
【手続補正１】
【補正対象書類名】明細書
【補正対象項目名】請求項７
【補正方法】変更
【補正の内容】
【請求項７】
前記吸引装置（１４）は、前記搬送装置（６）の枚葉紙支持面（７）に、複数の列を形成するように配置された複数の吸引開口（１５）を備えている、請求項５または６に記載の印刷ユニット。
【手続補正２】
【補正対象書類名】明細書
【補正対象項目名】００１６
【補正方法】変更
【補正の内容】
【００１６】
図２には、搬送装置６が、各枚葉紙支持面７が吸引面として構成されており、被印刷体枚葉紙を吸引する、保持装置９に追加された吸引装置１４を備えているのが示されている。各枚葉紙支持面７は、ノズル状に形成された複数の吸引開口１５を備えており、それらの吸引開口は網目状の配列になっている。吸引装置１４は、例えば吸引換気装置のような、モータ駆動式の吸気源１６に接続されており、この場合、吸引開口１５が空気案内装置を介して吸気源１６に接続されている。
【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
耐熱繊維製基材の表面に鱗片状鉱物被覆層を形成して成ることを特徴とする防音断熱材。
【請求項２】
鱗片状鉱物が焼成されたバーミキュライトであることを特徴とする請求項１に記載の防音断熱材。
【請求項３】
自動車のエキゾーストマニホールド用カバーにおいて、当該カバーのエキゾーストマニホールド側表面に、請求項１又は２に記載の防音断熱材をその鱗片状鉱物被覆層が露出面となるように積層して成ることを特徴とする自動車のエキゾーストマニホールド用カバー。
【請求項４】
耐熱繊維製基材の表面に鱗片状鉱物の水性ディスパージョンを塗布し、乾燥して鱗片状鉱物被覆層を形成することを特徴とする防音断熱材の製造方法。
【請求項５】
物品表面に耐熱性接着剤を介して耐熱繊維製基材を貼付して被覆し、当該基材の露出表面に鱗片状鉱物の水性ディスパージョンを塗布し、乾燥して鱗片状鉱物被覆層を形成することを特徴とする防音断熱材の製造方法。
【請求項６】
鱗片状鉱物が焼成されたバーミキュライトであることを特徴とする請求項４又は５に記載の防音断熱材の製造方法。
【手続補正書】
【提出日】平成16年4月8日(2004.4.8)
【手続補正１】
【補正対象書類名】明細書
【補正対象項目名】特許請求の範囲
【補正方法】変更
【補正の内容】
【特許請求の範囲】
【請求項１】
プリフォームをブロー成形温度以上に加熱した後にブロー成形するブロー成形装置において、
プリフォームを保持しながら搬送する複数の搬送部材と、
前記搬送部材を循環搬送する無端状の搬送部を有し、
前記搬送部に沿って、
プリフォームを搬送部材に供給するプリフォーム供給部と、
プリフォームをブロー成形温度以上に加熱する加熱部と、
加熱部で加熱されたプリフォームを製品形状にブロー成形するブロー成形部と、
ブロー成形された製品を取り出す製品取出部が順に配設され、
前記搬送部には、さらに搬送部材にエアを吹き付けて冷却させるための冷却部を有することを特徴とするブロー成形装置。
【請求項２】
請求項１において、
前記冷却部は、前記ブロー成形部と、前記加熱部の前記プリフォームの搬送方向上流側端部との間に配置されていることを特徴とするブロー成形装置。
【請求項３】
請求項１または２において、
前記製品取出部及びプリフォーム供給部との間に前記搬送部材の停止部が設けられ、
前記冷却部は前記停止部位置に停止した前記搬送部材に対して冷却エアを吹き付けることを特徴とするブロー成形装置。
【請求項４】
請求項１〜３のいずれかにおいて、
前記冷却部は、冷却エアを送風するファンと、冷却エアを複数の搬送部材に導いて各搬送部材に吹き付ける複数の吹出し口を設けた冷却ダクトボックスとを有する冷却装置を備えることを特徴とするブロー成形装置。
【請求項５】
請求項１〜４のいずれかにおいて、
搬送部材は、プリフォームを載せるための載置台を有し、
載置台は、冷却効率を高めるためにスリットを有することを特徴とするブロー成形装置。
【手続補正２】
【補正対象書類名】明細書
【補正対象項目名】０００８
【補正方法】変更
【補正の内容】
【０００８】
また、本発明のブロー成形装置は、前記冷却部は、前記ブロー成形部と、前記加熱部の前記プリフォームの搬送方向上流側端部との間に配置させることができる。
【手続補正書】
【提出日】平成16年5月19日(2004.5.19)
【手続補正１】
【補正対象書類名】明細書
【補正対象項目名】特許請求の範囲
【補正方法】変更
【補正の内容】
【特許請求の範囲】
【請求項１】
圧縮空気等により駆動されるドライバを摺動可能に収容した釘射出口を備えたノーズ部と、連結釘を装填したマガジンとを備え、マガジンから釘射出口内に供給された釘を前記ドライバにより駆動して打ち出す釘打機において、
前記マガジンには、前記釘導入口に連続しかつ連結釘の釘頭を支持する肩部を有する直線状の釘ガイド面を形成し、釘ガイド面に沿って複数の連結釘を互いが接する状態で並列して装填するとともに、前記連結釘を前記釘ガイド面に向けて押圧する押圧手段を備えたガイド壁を前記マガジンの釘ガイド面と対向させて設けるとともに、
前記マガジンのガイド壁には、連結釘を装填するマガジンの後端部から釘射出口側に向けて切欠部を形成したことを特徴とする釘打機における連結釘装填機構。
【請求項２】
圧縮空気等により駆動されるドライバを摺動可能に収容した釘射出口を備えたノーズ部と、連結釘を装填したマガジンとを備え、マガジンから釘射出口内に供給された釘を前記ドライバにより駆動して打ち出す釘打機において、
前記マガジンには、前記釘導入口に連続しかつ連結釘の釘頭を支持する肩部を有する直線状の釘ガイド面を形成し、釘ガイド面に沿って複数の連結釘を互いが接する状態で並列して装填するとともに、前記連結釘を前記釘ガイド面に向けて押圧する押圧手段を備えたガイド壁を前記マガジンの釘ガイド面と対向させて設けるとともに、
前記マガジンの釘ガイド面に、マガジンの後端部から釘射出口側に向けて凹部を形成し、マガジンの後方から凹部内へ指を挿入できるようにしたことを特徴とする釘打機における連結釘装填機構。
【請求項３】
圧縮空気等により駆動されるドライバを摺動可能に収容した釘射出口を備えたノーズ部と、連結釘を装填したマガジンとを備え、マガジンから釘射出口内に供給された釘を前記ドライバにより駆動して打ち出す釘打機において、前記マガジンには、前記釘導入口に連続しかつ連結釘の釘頭を支持する肩部を有する直線状の釘ガイド面を形成し、釘ガイド面に沿って連結釘を装填するとともに、前記連結釘を前記釘ガイド面に向けて押圧する押圧手段を備えたガイド壁を前記マガジンの釘ガイド面と対向させて設けるとともに、前記マガジンのガイド壁には、連結釘を装填するマガジンの後端部から釘射出口側に向けて切欠部を形成したことを特徴とする釘打機における連結釘装填機構。
【請求項４】
圧縮空気等により駆動されるドライバを摺動可能に収容した釘射出口を備えたノーズ部と、連結釘を装填したマガジンとを備え、マガジンから釘射出口内に供給された釘を前記ドライバにより駆動して打ち出す釘打機において、前記マガジンには、前記釘導入口に連続しかつ連結釘の釘頭を支持する肩部を有する直線状の釘ガイド面を形成し、釘ガイド面に沿って連結釘を装填するとともに、前記連結釘を前記釘ガイド面に向けて押圧する押圧手段を備えたガイド壁を前記マガジンの釘ガイド面と対向させて設けるとともに、前記マガジンの釘ガイド面に、マガジンの後端部から釘射出口側に向けて凹部を形成し、マガジンの後方から凹部内へ指を挿入できるようにしたことを特徴とする釘打機における連結釘装填機構。
【手続補正２】
【補正対象書類名】明細書
【補正対象項目名】０００６
【補正方法】変更
【補正の内容】
【０００６】
【課題を解決するための手段】
上記課題を解決するために請求項１記載の発明は圧縮空気等により駆動されるドライバを摺動可能に収容した釘射出口を備えたノーズ部と、連結釘を装填したマガジンとを備え、マガジンから釘射出口内に供給された釘を前記ドライバにより駆動して打ち出す釘打機において、前記マガジンには、前記釘導入口に連続しかつ連結釘の釘頭を支持する肩部を有する直線状の釘ガイド面を形成し、釘ガイド面に沿って複数の連結釘を互いが接する状態で並列して装填するとともに、前記連結釘を前記釘ガイド面に向けて押圧する押圧手段を備えたガイド壁を前記マガジンの釘ガイド面と対向させて設けるとともに、前記マガジンのガイド壁には、連結釘を装填するマガジンの後端部から釘射出口側に向けて切欠部を形成したことを特徴とする釘打機における連結釘装填機構を提供するものである。
【手続補正３】
【補正対象書類名】明細書
【補正対象項目名】０００７
【補正方法】変更
【補正の内容】
【０００７】
また、請求項２記載の発明は、圧縮空気等により駆動されるドライバを摺動可能に収容した釘射出口を備えたノーズ部と、連結釘を装填したマガジンとを備え、マガジンから釘射出口内に供給された釘を前記ドライバにより駆動して打ち出す釘打機において、前記マガジンには、前記釘導入口に連続しかつ連結釘の釘頭を支持する肩部を有する直線状の釘ガイド面を形成し、釘ガイド面に沿って複数の連結釘を互いが接する状態で並列して装填するとともに、前記連結釘を前記釘ガイド面に向けて押圧する押圧手段を備えたガイド壁を前記マガジンの釘ガイド面と対向させて設けるとともに、前記マガジンの釘ガイド面に、マガジンの後端部から釘射出口側に向けて凹部を形成し、マガジンの後方から凹部内へ指を挿入できるようにしたことを特徴とする釘打機における連結釘装填機構を提供するものであり、
更に、請求項３記載の発明は、圧縮空気等により駆動されるドライバを摺動可能に収容した釘射出口を備えたノーズ部と、連結釘を装填したマガジンとを備え、マガジンから釘射出口内に供給された釘を前記ドライバにより駆動して打ち出す釘打機において、前記マガジンには、前記釘導入口に連続しかつ連結釘の釘頭を支持する肩部を有する直線状の釘ガイド面を形成し、釘ガイド面に沿って連結釘を装填するとともに、前記連結釘を前記釘ガイド面に向けて押圧する押圧手段を備えたガイド壁を前記マガジンの釘ガイド面と対向させて設けるとともに、前記マガジンのガイド壁には、連結釘を装填するマガジンの後端部から釘射出口側に向けて切欠部を形成したことを特徴とする釘打機における連結釘装填機構を提供するものであり、
更に又、請求項４記載の発明は圧縮空気等により駆動されるドライバを摺動可能に収容した釘射出口を備えたノーズ部と、連結釘を装填したマガジンとを備え、マガジンから釘射出口内に供給された釘を前記ドライバにより駆動して打ち出す釘打機において、前記マガジンには、前記釘導入口に連続しかつ連結釘の釘頭を支持する肩部を有する直線状の釘ガイド面を形成し、釘ガイド面に沿って連結釘を装填するとともに、前記連結釘を前記釘ガイド面に向けて押圧する押圧手段を備えたガイド壁を前記マガジンの釘ガイド面と対向させて設けるとともに、前記マガジンの釘ガイド面に、マガジンの後端部から釘射出口側に向けて凹部を形成し、マガジンの後方から凹部内へ指を挿入できるようにしたことを特徴とする釘打機における連結釘装填機構を提供するものである。
【手続補正書】
【提出日】平成17年10月3日(2005.10.3)
【手続補正１】
【補正対象書類名】明細書
【補正対象項目名】特許請求の範囲
【補正方法】変更
【補正の内容】
【特許請求の範囲】
【請求項１】予め調製したエマルション組成物を０．１〜５ＭＰａの加圧によって多孔質膜体に通過させ、混合させることを特徴とするエマルション組成物の製造方法。
【請求項２】０．１〜５ＭＰａの加圧によって多孔質膜体に通過させ、混合させて調製したエマルション組成物の平均粒子径が、予め調製したエマルション組成物の平均粒子径の１／２５〜１／３０００に微細化させることを特徴とする請求項１に記載のエマルション組成物の製造方法。
【請求項３】予め調製したエマルション組成物がＯ／Ｗ組成物であることを特徴とする請求項１に記載のエマルション組成物の製造方法。
【請求項４】予め調製したエマルション組成物がＷ／Ｏ／Ｗ組成物であることを特徴とする請求項１に記載のエマルション組成物の製造方法。
【請求項５】多孔質膜体がガラス多孔質膜体である請求項１〜４のいずれかに記載のエマルション組成物の製造方法。
【手続補正書】
【提出日】平成16年2月27日(2004.2.27)
【手続補正１】
【補正対象書類名】明細書
【補正対象項目名】特許請求の範囲
【補正方法】変更
【補正の内容】
【特許請求の範囲】
【請求項１】
内周に成形前のワークを投入する型彫空間（８５）を形成するインナーダイス（８３）と該インナーダイス（８３）の外周側に配置されるアウターダイス（８８）を備える下型（８１）と、該下型（８１）の型彫空間（８５）に対し進退可能なパンチ（７２）を備える上型（７１）とを有する鍛造装置において、前記下型（８１）のインナーダイス（８３）外周に周状に凹む外周凹部（８６）を形成するとともに、該外周凹部（８６）によりインナーダイス（８３）とアウターダイス（８８）との間に圧入空間（Ｓ）を画成し、該圧入空間（Ｓ）に液体を圧入供給したことを特徴とする鍛造装置。
【請求項２】
内周に成形前のワークを投入する型彫空間（８５）を形成するインナーダイス（８３）と該インナーダイス（８３）の外周側に配置されるアウターダイス（８８）を備える下型（８１）と、該下型（８１）の型彫空間（８５）に対し進退可能なパンチ（７２）を備える上型（７１）とを有する鍛造装置において、前記下型（８１）のアウターダイス（８８）内周に周状に凹む内周凹部（８９）を形成するとともに、該内周凹部（８９）によりインナーダイス（８３）とアウターダイス（８８）との間に圧入空間（Ｓ）を画成し、該圧入空間（Ｓ）に液体を圧入供給したことを特徴とする鍛造装置。
【手続補正２】
【補正対象書類名】明細書
【補正対象項目名】００１２
【補正方法】変更
【補正の内容】
【００１２】
２  内周に成形前のワークを投入する型彫空間を形成するインナーダイスとインナーダイスの外周側に配置されるアウターダイスを備える下型と、下型の型彫空間に対し進退可能なパンチを備える上型とを有する鍛造装置において、下型のアウターダイス内周に周状に凹む内周凹部を形成するとともに、内周凹部によりインナーダイスとアウターダイスとの間に圧入空間を画成し、圧入空間に液体を圧入供給する。


【手続補正３】
【補正対象書類名】明細書
【補正対象項目名】００２８
【補正方法】変更
【補正の内容】
【００２８】
また、内周に成形前のワークを投入する型彫空間を形成するインナーダイスとインナーダイスの外周側に配置されるアウターダイスを備える下型と、下型の型彫空間に対し進退可能なパンチを備える上型とを有する鍛造装置において、下型のアウターダイス内周に周状に凹む内周凹部を形成するとともに、内周凹部によりインナーダイスとアウターダイスとの間に圧入空間を画成し、圧入空間に液体を圧入供給する場合においても、上記効果と同様の効果を得ることができる。更に、製造頻度の高いインナーダイスの外周を単純形状にできるので、ダイスの生産性を一段と向上させることができる。


【手続補正４】
【補正対象書類名】図面
【補正対象項目名】図４
【補正方法】変更
【補正の内容】
【図４】
2002292441.tif 000001
【手続補正５】
【補正対象書類名】図面
【補正対象項目名】図５
【補正方法】変更
【補正の内容】
【図５】
2002292441.tif 000002
【手続補正６】
【補正対象書類名】図面
【補正対象項目名】図６
【補正方法】変更
【補正の内容】
【図６】
2002292441.tif 000003
【手続補正７】
【補正対象書類名】図面
【補正対象項目名】図８
【補正方法】変更
【補正の内容】
【図８】
2002292441.tif 000004
【手続補正書】
【提出日】平成16年11月8日(2004.11.8)
【手続補正１】
【補正対象書類名】明細書
【補正対象項目名】特許請求の範囲
【補正方法】変更
【補正の内容】
【特許請求の範囲】
【請求項１】
インク室と、インク供給用接続口と、前記インク室に連通して常時閉弁状態を維持し、記録装置に装着された時点で開弁する大気連通用接続口と、前記インク室のインクを所定の負圧状態に維持しつつ前記インク供給用接続口に排出する負圧発生機構とを備え、
前記負圧発生機構が、前記インク供給用接続口と前記インク室との間に配置されて連通流路を形成するとともに、前記インク供給用接続口のインクの圧力を受けて移動する弁体と、前記弁体の連通流路を閉塞する封止部材と、前記インク供給用接続口の圧力が所定値以下に低下した時点で前記弁体を移動させるように前記封止部材の側に弾圧する付勢手段とにより構成されている記録装置用インクカートリッジ。
【請求項２】
インク室と、インク供給用接続口と、前記インク室のインクを所定の負圧状態に維持しつつ前記インク供給用接続口に排出する負圧発生機構とを備え、
前記負圧発生機構が、前記インク室と前記インク供給用接続口とに連通する凹部からなる弁室を形成する部材と、前記弁室に収容されて前記インク供給用接続口側のインクの消費による圧力を受けて移動する弁体と、前記弁室に収容されて前記弁体の周囲を前記弁室に固定すると共に、流路が形成された流路形成部材と、前記弁室を構成する部材に前記流路形成部材を固定する封止部材とを有するインクカートリッジ。
【請求項３】
前記弁体と前記流路形成部材の間に前記弁体を閉弁方向に付勢する付勢手段が収容されている請求項２に記載のインクカートリッジ。
【手続補正２】
【補正対象書類名】明細書
【補正対象項目名】０００６
【補正方法】変更
【補正の内容】
【０００６】
【課題を解決するための手段】
このような課題を解決するために請求項１の発明においては、インク室と、インク供給用接続口と、前記インク室に連通して常時閉弁状態を維持し、記録装置に装着された時点で開弁する大気連通用接続口と、前記インク室のインクを所定の負圧状態に維持しつつ前記インク供給用接続口に排出する負圧発生機構とを備え、前記負圧発生機構が、前記インク供給用接続口と前記インク室との間に配置されて連通流路を形成するとともに、前記インク供給用接続口のインクの圧力を受けて移動する弁体と、前記弁体の連通流路を閉塞する封止部材と、前記インク供給用接続口の圧力が所定値以下に低下した時点で前記弁体を移動させるように前記封止部材の側に弾圧する付勢手段とにより構成されている。
また、請求項２の発明においては、インク室と、インク供給用接続口と、前記インク室のインクを所定の負圧状態に維持しつつ前記インク供給用接続口に排出する負圧発生機構とを備え、前記負圧発生機構が、前記インク室と前記インク供給用接続口とに連通する凹部からなる弁室を形成する部材と、前記弁室に収容されて前記インク供給用接続口側のインクの消費による圧力を受けて移動する弁体と、前記弁室に収容されて前記弁体の周囲を前記弁室に固定すると共に、流路が形成された流路形成部材と、前記弁室を構成する部材に前記流路形成部材を固定する封止部材とを有する。
【手続補正書】
【提出日】平成16年9月16日(2004.9.16)
【手続補正１】
【補正対象書類名】明細書
【補正対象項目名】特許請求の範囲
【補正方法】変更
【補正の内容】
【特許請求の範囲】
【請求項１】
油分をエマルジョンの状態又はサスペンジョンの状態で含有する水性液を油層と水層に分離する方法であって、水性液に更に油を添加して混合した後に油層と水層に分離する油水分離方法。
【請求項２】
水性液の油層と水層の重量比（油層／水層）が１／１０００〜１／１００である請求項１記載の方法。
【請求項３】
水性液がエチレンプラントの分解ガスを水冷するセクションから得られるクエンチウォーターである請求項１記載の方法。
【請求項４】
更に添加する油が、エチレンプラントで副生する分解ガソリンである請求項１記載の方法。
【請求項５】
更に添加する油が、エチレンプラントで分解原料として使用するナフサである請求項１記載の方法。
【請求項６】
エチレンプラントのクエンチウォーターの再蒸発系の汚れを防止するために実施される請求項１記載の方法。
【請求項７】
請求項１記載の方法に使用する装置であって、水性液に油を添加して混合する装置がエダクターである油水分離装置。
【請求項８】
請求項１記載の方法に使用する装置であって、油層と水層に分離する装置が繊維を使用して油滴を粗大化させることを特徴とするコアレッサーである油水分離装置。
【請求項９】
油層と水層に分離する装置が繊維を使用して油滴を粗大化させることを特徴とするコアレッサーである請求項７記載の油水分離装置。
【手続補正２】
【補正対象書類名】明細書
【補正対象項目名】０００６
【補正方法】変更
【補正の内容】
【０００６】
本発明においては、水性液に更に油を添加して混合した後に油層と水層に分離される。更に添加する油としては、エチレンプラントで副生する分解ガソリン及びエチレンプラントで分解原料として使用するナフサを例示することができる。
【手続補正書】
【提出日】平成17年4月5日(2005.4.5)
【手続補正１】
【補正対象書類名】明細書
【補正対象項目名】特許請求の範囲
【補正方法】変更
【補正の内容】
【特許請求の範囲】
【請求項１】
ミキサ部と、接続部とを有し、かつ前記接続部が、その中で形成された上側ミキサシャフト受容開口と、前記シャフト受容開口に通じている側開口とを有する、本体と、
取り外し可能に前記接続部に連結されているプランジャ組立体であって、前記プランジャ組立体は、前記接続部の前記側開口内で取り外し可能に係合される外側ケースと、前記外側ケース内に受容されるプランジャと、前記プランジャの内側端部が前記シャフト受容開口内で通常に位置決めされている内側位置へ前記プランジャを付勢するように位置決めされている、前記外側ケース内のばねとを有する、プランジャ組立体とを備え、
前記プランジャは、前記プランジャの前記内側端部が前記シャフト受け入れ開口から少なくとも部分的に後退している外側位置へ移動可能であり、前記プランジャは、前記ケースから外方に突出している部分を有し、前記突出部分は、前記プランジャを前記内側位置から前記外側位置へ手で後退させうるための大きな把持ヘッドを有する、ミキサに取り付けるためのミキサ要素。
【請求項２】
前記外側ケースは、前記側開口内でネジ留めで係合されている、請求項１に記載のミキサ要素。